(57)【特許請求の範囲】
【請求項１】
加熱手段にて加熱される被加熱物を載置する載置部に被加熱物が載置されている載置状態であるか載置されていない非載置状態であるかを検出する載置状態検出手段と、
加熱指令手段による加熱開始指令により前記加熱手段の加熱作動を開始し且つ前記加熱指令手段による加熱停止指令により前記加熱手段の加熱作動を停止する燃焼制御、及び、前記載置状態検出手段の検出情報に基づいて前記加熱手段の加熱作動を制御する調理用加熱制御を実行する加熱制御手段と、
前記加熱指令手段の加熱開始指令により電源入り条件が満たされると電源から前記加熱制御手段に電力を供給し且つ前記加熱指令手段の加熱停止指令により電源切り条件が満たされると前記加熱制御手段への電力の供給を遮断する電源制御手段とが備えられた加熱調理器における電源切状態用監視装置であって、
前記電源制御手段が前記加熱制御手段に電力を供給する状態から電力の供給を遮断する状態に切り換えるときに前記載置状態検出手段が前記載置状態を検出している場合には、載置状態用出力を出力する状態にセットされ、その後、前記電源制御手段が前記加熱制御手段に電力を供給する状態に切り換わるまでの間において、前記載置状態検出手段が前記載置状態を検出することを継続すると前記載置状態用出力を出力する状態を維持し、かつ、前記載置状態検出手段が前記非載置状態を検出すると非載置状態用出力を出力する状態に切り換わる変化状態検出回路が設けられ、
前記加熱制御手段が、電力の供給を遮断された状態から電力を供給される状態に切り換えられたときに、前記変化状態検出回路の出力を読み取り可能に構成されている加熱調理器における電源切状態用監視装置。
【請求項２】
前記載置状態検出手段が、前記載置状態であれば非導通状態となり且つ前記非載置状態であれば導通状態となる被加熱物検出スイッチを備えて構成され、
前記変化状態検出回路が、
電荷を蓄積並びに放電自在なコンデンサと、
前記加熱制御手段に電力が供給され且つ前記被加熱物検出スイッチが非導通状態である状態においては前記コンデンサに電荷を蓄積し、前記加熱制御手段に電力が供給される状態から電力の供給が遮断される状態に切り換わったのちにおいて、前記被加熱物検出スイッチが非導通状態を維持していれば前記コンデンサに電荷を蓄積した状態を維持し、前記被加熱物検出スイッチが非導通状態から導通状態に切り換わると前記コンデンサに蓄積した電荷を放電するように構成され、且つ、前記コンデンサに電荷が蓄積されているときのコンデンサの端子間電圧を前記載置状態用出力として出力し、電荷が放電された後の前記コンデンサの端子間電圧を前記非載置状態用出力として出力する充放電回路とを備えて構成されている請求項１記載の加熱調理器における電源切状態用監視装置。
【請求項３】
前記載置状態検出手段が、前記載置状態であれば非導通状態となり且つ前記非載置状態であれば導通状態となる被加熱物検出スイッチを備えて構成され、
前記変化状態検出回路が、
前記非導通状態である場合と前記導通状態である場合とで入力部に入力される入力電圧が互いに異なる形態で前記被加熱物検出スイッチが前記入力部に接続され、且つ、前記入力部に前記非導通状態に対応する入力電圧が入力されているときは前記載置状態用出力としての第１出力電圧を出力し、前記入力部に入力される電圧が前記非導通状態に対応する入力電圧から前記導通状態に対応する入力電圧に切り換わると、前記第１出力電圧とは異なる前記非載置状態用出力としての第２出力電圧を出力する状態に切り換えてリセット処理が行われるまでその第２出力電圧を保持する出力保持回路を備えて構成されている請求項１記載の加熱調理器における電源切状態用監視装置。
【請求項４】
前記加熱制御手段が、
前記載置状態検出手段にて前記載置状態が検出されている状態においては時間経過に伴って規則的に又は不規則的に現れる載置状態経過判別用の指標を積算してその積算値を求め且つ前記載置状態検出手段にて前記非載置状態が検出されると前記積算値をリセットする積算値算出処理を実行して、その積算値算出処理にて積算した積算値が異常判別用基準値に達すると異常対策処理を実行するように構成され、且つ、
電力の供給を遮断された状態から電力を供給される状態に切り換えられたときに、前記変化状態検出回路にて前記非載置状態用出力が出力されていることを判別すると、前記載置状態経過判別用の指標の積算値をリセットするように構成されている請求項１〜３のいずれか１項に記載の加熱調理器における電源切状態用監視装置。
【請求項５】
前記加熱制御手段が、
前記加熱指令手段による加熱開始指令が指令されたときに前記載置状態検出手段により前記載置状態が検出される加熱開始時載置検出状態であるか否かを判別するように構成され、且つ、前記加熱開始時載置検出状態であることを判別した回数を前記載置状態経過判別用の指標として積算しかつ前記加熱開始時載置検出状態であることを判別した回数の積算値が前記異常判別用基準値としての設定回数以上になると前記異常対策処理を実行するように構成されている請求項４記載の加熱調理器における電源切状態用監視装置。
【請求項６】
前記加熱制御手段が、
前記載置状態検出手段により前記載置状態が検出されている状態の時間を前記載置状態経過判別用の指標として積算し、且つ、その時間の積算値が前記異常判別用の基準値としての異常判別用設定時間に達すると前記異常対策処理を実行するように構成されている請求項４記載の加熱調理器における電源切状態用監視装置。
【発明の詳細な説明】
【技術分野】
【０００１】
本発明は、加熱手段にて加熱される被加熱物を載置する載置部に被加熱物が載置されている載置状態であるか載置されていない非載置状態であるかを検出する載置状態検出手段と、加熱指令手段による加熱開始指令により前記加熱手段の加熱作動を開始し且つ前記加熱指令手段による加熱停止指令により前記加熱手段の加熱作動を停止する燃焼制御、及び、前記載置状態検出手段の検出情報に基づいて前記加熱手段の加熱作動を制御する調理用加熱制御を実行する加熱制御手段と、前記加熱指令手段の加熱開始指令により電源入り条件が満たされると電源から前記加熱制御手段に電力を供給し且つ前記加熱指令手段の加熱停止指令により電源切り条件が満たされると前記加熱制御手段への電力の供給を遮断する電源制御手段とが備えられた加熱調理器における電源切状態用監視装置に関する。
【背景技術】
【０００２】
上記加熱調理器は、前記調理用加熱制御として、加熱指令手段による加熱開始指令が指令されても載置状態検出手段にて非載置状態が検出されているときには、例えばバーナ等からなる加熱手段の加熱作動を実行しない牽制処理や、加熱手段が加熱作動を行っているときに載置状態検出手段にて非載置状態が検出されると加熱量を低下させる加熱量低下処理等を行うようにして、載置状態検出手段の検出情報に基づいて被加熱物に対する適切な加熱調理を行うことができるようにしたものである。
【０００３】
このような加熱調理器においては、加熱指令手段の加熱停止指令により電源切り条件が満たされたときに載置状態検出手段が載置状態を検出している場合には、その後において、載置状態から非載置状態に変化するか否かを監視する必要があり、従来では、次のように構成したものがあった。
【０００４】
すなわち、加熱指令手段の加熱停止指令により電源切り条件が満たされたときに載置状態検出手段が載置状態を検出している場合には加熱制御手段への電力供給を継続して、その後、載置状態検出手段が載置状態から非載置状態に切り換わったことを検出することができるように構成され、載置状態検出手段が載置状態から非載置状態に切り換わったことが検出されると、加熱制御手段が所定の処理を行ったのちに電源制御手段が加熱制御手段への電力供給を停止するように構成されたものがあった（例えば、特許文献１参照。）。
【０００５】
ちなみに、加熱指令手段の加熱停止指令により電源切り条件が満たされたときに載置状態検出手段が載置状態を検出している場合、その後において載置状態から非載置状態に変化するか否かを監視するのは、上記特許文献１においては、被加熱物から降りかかる煮汁等が原因で載置状態検出手段が固着して故障する等の異常状態が発生するおそれがあるからそのような異常状態が発生しているか否かを判別するためである。
【０００６】
すなわち、特許文献１にて例示したものでは、このような異常状態が発生していることを検出するために、加熱制御手段は、電力が供給されている状態において、載置状態検出手段により載置状態が検出されている状態の時間を積算して、その時間の積算値が異常判別用設定時間に達すると異常対策処理を実行する構成となっており、加熱指令手段の加熱停止指令により電源切り条件が満たされたときに載置状態検出手段が載置状態を検出して加熱制御手段への電力供給を継続しているときに、載置状態検出手段が載置状態から非載置状態に切り換わったことを検出すると、前記所定の処理として前記時間の積算値をリセットすることにより、載置状態検出手段が正常に作動しているときに不要な異常対策処理を行うことがないようにしている。
【０００７】
説明を加えると、加熱手段の加熱作動を停止して調理が終了したのちに、使用者が被加熱物を載置部から持ち上げたり別の場所に移したりする被加熱物の載置状態変更作業を行ったときに載置状態検出手段が載置状態から非載置状態に切り換わったことを検出して、上記したような積算値をリセットする等の所定の処理を適正に行うようにしている。
【０００８】
【特許文献１】特開２００６−９７９７６号公報
【発明の開示】
【発明が解決しようとする課題】
【０００９】
しかしながら、上記従来構成では、加熱指令手段の加熱停止指令により電源切り条件が満たされたときに載置状態検出手段が載置状態を検出している場合には、載置状態検出手段が非載置状態を検出するまで加熱制御手段への電力供給を継続するようにしているので、加熱調理が終了して加熱手段の加熱作動を停止してから被加熱物の載置状態変更作業が行われるまでの間に長い時間が経過していると、載置状態検出手段により非載置状態が検出されない状態が長い時間にわたって継続することになり、加熱制御手段に対して電力が供給される時間が長くなって電力消費量が多くなる不利がある。そして、この種の加熱調理器では電源として電池を備えるものがあり、このように電池を備えるものでは、電池が短期に消耗して交換時期が早くなる等、使い勝手が悪いものとなる。
【００１０】
本発明の目的は、加熱指令手段の加熱停止指令により電源切り条件が満たされたのちにおいて、載置状態検出手段が載置状態から非載置状態に切り換わったことを適切に検出することが可能なものでありながら、電力消費量を少ないものに抑制することが可能な加熱調理器における電源切状態用監視装置を提供する点にある。
【課題を解決するための手段】
【００１１】
本発明に係る加熱調理器における電源切状態用監視装置は、加熱手段にて加熱される被加熱物を載置する載置部に被加熱物が載置されている載置状態であるか載置されていない非載置状態であるかを検出する載置状態検出手段と、
加熱指令手段による加熱開始指令により前記加熱手段の加熱作動を開始し且つ前記加熱指令手段による加熱停止指令により前記加熱手段の加熱作動を停止する燃焼制御、及び、前記載置状態検出手段の検出情報に基づいて前記加熱手段の加熱作動を制御する調理用加熱制御を実行する加熱制御手段と、
前記加熱指令手段の加熱開始指令により電源入り条件が満たされると電源から前記加熱制御手段に電力を供給し且つ前記加熱指令手段の加熱停止指令により電源切り条件が満たされると前記加熱制御手段への電力の供給を遮断する電源制御手段とが備えられたものであって、
その第１特徴構成は、前記電源制御手段が前記加熱制御手段に電力を供給する状態から電力の供給を遮断する状態に切り換えるときに前記載置状態検出手段が前記載置状態を検出している場合には、載置状態用出力を出力する状態にセットされ、その後、前記電源制御手段が前記加熱制御手段に電力を供給する状態に切り換わるまでの間において、前記載置状態検出手段が前記載置状態を検出することを継続すると前記載置状態用出力を出力する状態を維持し、かつ、前記載置状態検出手段が前記非載置状態を検出すると非載置状態用出力を出力する状態に切り換わる変化状態検出回路が設けられ、
前記加熱制御手段が、電力の供給を遮断された状態から電力を供給される状態に切り換えられたときに、前記変化状態検出回路の出力を読み取り可能に構成されている点にある。
【００１２】
第１特徴構成によれば、電源制御手段は、加熱指令手段の加熱開始指令により電源入り条件が満たされると電源から加熱制御手段に電力を供給し、加熱指令手段の加熱停止指令により電源切り条件が満たされると加熱制御手段への電力の供給を遮断することになる。そして、加熱指令手段の加熱停止指令により電源切り条件が満たされて電源制御手段が加熱制御手段に電力を供給する状態から電力の供給を遮断する状態に切り換えるときに載置状態検出手段が載置状態を検出している場合には、前記変化状態検出回路は、前記載置状態用出力を出力する状態にセットされる。
【００１３】
前記変化状態検出回路は、電源制御手段が加熱制御手段に電力を供給する状態から電力の供給を遮断する時点で載置状態検出手段が載置状態を検出している場合に前記載置状態用出力を出力する状態にセットされるものに限らず、電源制御手段が加熱制御手段に電力を供給しているときに載置状態検出手段が載置状態を検出するとセットされ、その後、電源制御手段が電力の供給を遮断する時点まで載置状態検出手段が載置状態を検出する状態を継続する場合も含まれる。
【００１４】
又、電源制御手段が加熱制御手段に電力の供給を遮断する状態に切り換えた後、電源制御手段が加熱制御手段に電力を供給する状態に切り換わるまでの間において、載置状態検出手段が載置状態を検出することを継続していると、変化状態検出回路は載置状態用出力を出力する状態を維持する。
【００１５】
一方、電源制御手段が加熱制御手段に電力の供給を遮断する状態に切り換えた後、電源制御手段が加熱制御手段に電力を供給する状態に切り換わるまでの間において、載置状態検出手段が非載置状態を検出すると、変化状態検出回路は非載置状態用出力を出力する状態に切り換わることになる。
【００１６】
そして、加熱制御手段が、電力の供給を遮断された状態から電力を供給される状態に切り換えられたときに、変化状態検出回路の出力を読み取ることにより、自己に対する電力の供給が遮断されているときに、載置状態検出手段が載置状態を維持しているか又は非載置状態を検出したかを判別することができ、その判別結果に応じた所定の処理を行うことが可能となる。
【００１７】
前記変化状態検出回路としては、例えば、載置状態検出手段が載置状態を検出する状態ではコンデンサに充電し且つ載置状態検出手段が非載置状態を検出するとコンデンサが充電している電荷を放電するようにして、そのコンデンサの端子間電圧を検出する回路や、載置状態検出手段の検出状態の切り換わりに応じて入力の信号レベルが変化すると、それに応じて出力が変化し且つ載置状態から非載置状態への変化に対応する信号レベルの変化であればその変化後の出力を保持する出力保持回路等のように、簡易な構成で且つ電力消費が少ない回路を用いて構成することが可能である。
【００１８】
このように、電源切り条件が満たされた後は、加熱制御手段への電力の供給が遮断されている状態において、簡易な構成で且つ電力消費が少ない変化状態検出回路により載置状態検出手段の検出状態を監視することにより、電力消費量を少なくすることが可能となるのである。
【００１９】
従って、第１特徴構成によれば、加熱指令手段の加熱停止指令により電源切り条件が満たされたのちにおいて、載置状態検出手段が載置状態から非載置状態に切り換わったことを適切に検出することが可能なものでありながら、電力消費量を少ないものに抑制することが可能な加熱調理器における電源切状態用監視装置を提供できるに至った。
【００２０】
本発明の第２特徴構成は、第１特徴構成に加えて、前記載置状態検出手段が、前記載置状態であれば非導通状態となり且つ前記非載置状態であれば導通状態となる被加熱物検出スイッチを備えて構成され、
前記変化状態検出回路が、
電荷を蓄積並びに放電自在なコンデンサと、
前記加熱制御手段に電力が供給され且つ前記被加熱物検出スイッチが非導通状態である状態においては前記コンデンサに電荷を蓄積し、前記加熱制御手段に電力が供給される状態から電力の供給が遮断される状態に切り換わったのちにおいて、前記被加熱物検出スイッチが非導通状態を維持していれば前記コンデンサに電荷を蓄積した状態を維持し、前記被加熱物検出スイッチが非導通状態から導通状態に切り換わると前記コンデンサに蓄積した電荷を放電するように構成され、且つ、前記コンデンサに電荷が蓄積されているときのコンデンサの端子間電圧を前記載置状態用出力として出力し、電荷が放電された後の前記コンデンサの端子間電圧を前記非載置状態用出力として出力する充放電回路とを備えて構成されている点にある。
【００２１】
すなわち、第２特徴構成によれば、加熱制御手段に電力が供給され且つ被加熱物検出スイッチが非導通状態である状態においてはコンデンサに電荷が蓄積される。つまり、電源制御手段が加熱制御手段に電力を供給する状態から電力の供給を遮断する状態に切り換えるときに載置状態検出手段が載置状態を検出している場合には、そのときまでにコンデンサに電荷が蓄積される状態となっているから、前記充放電回路は載置状態用出力を出力する状態にセットされることになる。
【００２２】
そして、加熱制御手段に電力が供給される状態から電力の供給が遮断される状態に切り換わったのちにおいて、被加熱物検出スイッチが非導通状態を維持していればコンデンサに電荷を蓄積した状態、すなわちコンデンサの端子間電圧が高い状態を維持するが、被加熱物検出スイッチが非導通状態から導通状態に切り換わるとコンデンサに蓄積した電荷が放電され、コンデンサの端子間電圧が低くなる。
【００２３】
つまり、コンデンサに電荷を蓄積し且つその電荷を蓄積している状態を維持すると、コンデンサの端子間電圧が高い状態となり、そのときのコンデンサの端子間電圧が前記載置状態用出力として出力されることになる。一方、コンデンサの電荷が放電されると、コンデンサの端子間電圧が低くなり、そのときのコンデンサの端子間電圧が前記載置状態用出力として出力されることになる。
【００２４】
そして、加熱制御手段が、電力の供給を遮断された状態から電力を供給される状態に切り換えられたときに、コンデンサの端子間電圧を読み取り可能であり、そのコンデンサの端子間電圧の違いにより、自己に対する電力の供給が遮断されているときに載置状態検出手段が載置状態から非載置状態に切り換わったか否かについて判別することができる。
【００２５】
又、加熱制御手段に電力が供給されている状態でコンデンサに電荷が蓄積され、加熱制御手段への電力の供給が遮断されている状態では、載置状態検出手段に備えられる被加熱物検出スイッチを利用して、コンデンサの電荷蓄積状態を維持する状態と電荷を放電する状態とに切り換えるものであるから、コンデンサの自然放電が殆ど無いものであれば電力消費は殆ど無く、コンデンサが自然放電するときは自然放電した電力を補充する程度の少ない電力を供給するだけでよく電力消費量は少ないもので済ませることができ、変化状態検出回路を低消費電力型の回路にて構成することができる。
【００２６】
従って、第２特徴構成によれば、簡素な構成で且つ低消費電力型の回路により変化状態検出回路を構成することが可能となり、電力消費量を少ないものに抑制することが可能な加熱調理器における電源切状態用監視装置を提供できるに至った。
【００２７】
本発明の第３特徴構成は、第１特徴構成に加えて、前記載置状態検出手段が、前記載置状態であれば非導通状態となり且つ前記非載置状態であれば導通状態となる被加熱物検出スイッチを備えて構成され、
前記変化状態検出回路が、
前記非導通状態である場合と前記導通状態である場合とで入力部に入力される入力電圧が互いに異なる形態で前記被加熱物検出スイッチが前記入力部に接続され、且つ、前記入力部に前記非導通状態に対応する入力電圧が入力されているときは前記載置状態用出力としての第１出力電圧を出力し、前記入力部に入力される電圧が前記非導通状態に対応する入力電圧から前記導通状態に対応する入力電圧に切り換わると、前記第１出力電圧とは異なる前記非載置状態用出力としての第２出力電圧を出力する状態に切り換えてリセット処理が行われるまでその第２出力電圧を保持する出力保持回路を備えて構成されている点にある。
【００２８】
第３特徴構成によれば、出力保持回路の入力部には非導通状態である場合と導通状態である場合とで入力電圧が互いに異なる形態で被加熱物検出スイッチが接続されており、この入力部に非導通状態に対応する入力電圧が入力されているときは載置状態用出力としての第１出力電圧を出力するから、電源制御手段が加熱制御手段に電力を供給する状態から電力の供給を遮断する状態に切り換えるときに載置状態検出手段が載置状態を検出している場合には、出力保持回路は第１出力電圧を出力する状態にセットされることになる。
【００２９】
そして、加熱制御手段に電力が供給される状態から電力の供給が遮断される状態に切り換わったのちにおいて、被加熱物検出スイッチが非導通状態を維持していれば、出力保持回路は第１出力電圧を出力する状態を維持することになる。
【００３０】
又、加熱制御手段に電力が供給される状態から電力の供給が遮断される状態に切り換わったのちにおいて、被加熱物検出スイッチが非導通状態から導通状態に切り換わり、入力部に入力される電圧が非導通状態に対応する入力電圧から導通状態に対応する入力電圧に切り換わると、出力保持回路は、第１出力電圧とは異なる非載置状態用出力としての第２出力電圧を出力する状態に切り換わりリセット処理が行われるまでその第２出力電圧を保持するのである。
【００３１】
そして、加熱制御手段は、電力の供給を遮断された状態から電力を供給される状態に切り換えられたときに、出力保持回路の出力を読み取り可能であり、出力保持回路の出力によって自己に対する電力の供給が遮断されているときに載置状態検出手段が載置状態から非載置状態に切り換わったか否かについて判別することができる。
【００３２】
又、上記したような出力保持回路は、例えば、低消費電力型のゲート回路等の簡易な構成で且つ低消費電力型の回路にて構成することが可能であり、又、ゲート回路等であれば出力の切り換えがハイレベルとローレベルのうちのいずれかに確実に切り換わるので出力が不安定になることがなく加熱制御手段による読み取りを的確に行い易いものにすることが可能である。
【００３３】
従って、第３特徴構成によれば、簡素な構成で且つ低消費電力型の回路により変化状態検出回路を構成することが可能となり、電力消費量を少ないものに抑制することが可能な加熱調理器における電源切状態用監視装置を提供できるに至った。
【００３４】
本発明の第４特徴構成は、第１特徴構成〜第３特徴構成のいずれかに加えて、
前記加熱制御手段が、
前記載置状態検出手段にて前記載置状態が検出されている状態においては時間経過に伴って規則的に又は不規則的に現れる載置状態経過判別用の指標を積算してその積算値を求め且つ前記載置状態検出手段にて前記非載置状態が検出されると前記積算値をリセットする積算値算出処理を実行して、その積算値算出処理にて積算した積算値が異常判別用基準値に達すると異常対策処理を実行するように構成され、且つ、
自己に対して電力供給が開始されて起動したのち、前記変化状態検出回路にて前記非載置状態用出力が出力されていることを判別すると、前記載置状態経過判別用の指標の積算値をリセットするように構成されている点にある。
【００３５】
第４特徴構成によれば、加熱制御手段は自己に電力が供給されている状態では前記積算値算出処理を実行する。すなわち、載置状態検出手段にて載置状態が検出されている状態においては時間経過に伴って規則的に又は不規則的に現れる載置状態経過判別用の指標を積算してその積算値を求め、載置状態検出手段にて非載置状態が検出されると積算値をリセットすることになる。そして、このような積算値算出処理にて積算した積算値が異常判別用基準値に達すると異常対策処理を実行することになる。
【００３６】
例えば、載置状態検出手段の故障等により載置部に被加熱物が載置されていないにもかかわらず載置状態が検出される異常が発生したような場合等においては、載置状態検出手段にて非載置状態が検出されて積算値がリセットされることがないから、加熱調理器の使用に伴って前記積算値が異常判別用基準値に達するので異常対策処理を実行することになる。このように異常対策処理を行うことにより、異常が発生している状態で使用を継続する不利を回避することができる。
【００３７】
そして、加熱制御手段は、電力の供給を遮断された状態から電力を供給される状態に切り換えられたときに変化状態検出回路にて非載置状態用出力が出力されていることを判別すると、加熱制御手段に対して電力供給が開始されたときに載置状態検出手段にて載置状態が検出される場合であっても、載置状態経過判別用の指標の積算値をリセットすることになる。
【００３８】
つまり、加熱制御手段に対する電力が供給されている間には載置部に被加熱物が載置されている状態が続いている場合であっても、加熱制御手段に対する電力の供給が遮断されている間に載置部に被加熱物が載置されていない状態になることがあれば、載置状態経過判別用の指標の積算値をリセットすることになるので、異常が発生していないにもかかわらず異常対策処理が行われるという不利を回避することができる。
【００３９】
従って、第４特徴構成によれば、載置状態検出手段の故障等の異常が発生しているときには適切に異常対策処理を行うことが可能でありながら、異常が発生していないにもかかわらず異常対策処理が行われるという不利を回避することが可能となる。
【００４０】
本発明の第５特徴構成は、第４特徴構成に加えて、前記加熱制御手段が、前記加熱指令手段による加熱開始指令が指令されたときに前記載置状態検出手段により前記載置状態が検出される加熱開始時載置検出状態であるか否かを判別するように構成され、且つ、前記加熱開始時載置検出状態であることを判別した回数を前記載置状態経過判別用の指標として積算しかつ前記加熱開始時載置検出状態であることを判別した回数の積算値が前記異常判別用基準値としての設定回数以上になると前記異常対策処理を実行するように構成されている点にある。
【００４１】
第５特徴構成によれば、加熱制御手段は、加熱指令手段による加熱開始指令が指令されたときに載置状態検出手段により載置状態が検出される加熱開始時載置検出状態であるか否かを判別する。加熱開始指令が指令されたときに前記加熱開始時載置検出状態であることが検出されるときは、載置状態検出手段が正常に動作しており載置部に被加熱物が適正に載置されている状態、あるいは、載置状態検出手段が載置状態のままで固着している異常状態等が想定される。
【００４２】
載置状態検出手段が正常に動作しており載置部に被加熱物が適正に載置されている状態であれば、その後、使用者が被加熱物を持ち上げて載置部から被加熱物を外すと、載置状態検出手段により非載置状態が検出されるので、前記加熱開始時載置検出状態であることを判別した回数の積算値がリセットされる。
【００４３】
しかし、載置状態検出手段が載置状態を検出する状態のままで固着している等の異常状態である場合には、載置状態検出手段により非載置状態が検出されることがないので前記積算値がリセットされずにその後も積算され続けることになる。そして、前記加熱開始時載置検出状態であることを判別した回数の積算値が前記異常判別用基準値としての設定回数以上になると、載置状態検出手段が載置状態を検出する状態が長い時間経過している異常状態であると判別して前記異常対策処理を実行する。
【００４４】
従って、第５特徴構成によれば、載置状態検出手段が正常に動作しているときは異常対策処理を実行することがなく、載置状態検出手段が載置状態を検出する状態のままで固着している等の異常状態であるときは的確に異常対策処理を実行することが可能となる。
【００４５】
本発明の第６特徴構成は、第４特徴構成に加えて、前記加熱制御手段が、前記載置状態検出手段により前記載置状態が検出されている状態の時間を前記載置状態経過判別用の指標として積算し、且つ、その時間の積算値が前記異常判別用の基準値としての異常判別用設定時間に達すると前記異常対策処理を実行するように構成されている点にある。
【００４６】
第６特徴構成によれば、前記加熱制御手段は、前記載置状態検出手段により前記載置状態が検出されている時間を前記載置状態経過判別用の指標として積算するのであるが、載置状態検出手段が正常に動作しているときは、使用者が被加熱物を持ち上げて載置部から被加熱物を外すと、載置状態検出手段により非載置状態が検出されるので、載置状態が検出されている時間の積算値がリセットされる。
【００４７】
しかし、載置状態検出手段が載置状態を検出する状態のままで固着している等の異常状態である場合には、載置状態検出手段により非載置状態が検出されることがなく前記積算値がリセットされることはないので、載置状態検出手段により載置状態が検出されている時間がリセットされずに積算され続けることになる。そして、その時間の積算値が前記異常判別用の基準値としての異常判別用設定時間に達すると前記異常対策処理を実行するのである。
【００４８】
従って、第６特徴構成によれば、載置状態検出手段が正常に動作しているときは異常対策処理を実行することがなく、載置状態検出手段が載置状態を検出する状態のままで固着している等の異常状態であるときは的確に異常対策処理を実行することが可能となる。
【発明を実施するための最良の形態】
【００４９】
〔第１実施形態〕
以下、図面に基づいて、本発明の第１実施形態を説明する。
図１に示すように、前記加熱調理器としてのガスコンロは、３つのコンロバーナ１ａ、１ｂ、１ｃ、及び、グリルバーナ２（図２参照）を備えるグリル部３を備えたビルトインタイプのガスコンロにて構成されており、３つのコンロバーナ１ａ、１ｂ、１ｃは標準バーナ１ａと、小バーナ１ｂと、高火力バーナ１ｃとによって構成されている。
【００５０】
又、グリル部３の燃焼排ガスを排気するためのグリル排気口４が形成され、ガラス製のトッププレート５にてガスコンロ上面が覆われており、このトッププレート５の上部に、標準バーナ１ａ、小バーナ１ｂ及び高火力バーナ１ｃの夫々に対応して、夫々にて加熱する被加熱物（鍋など）を載置する載置部としての五徳６が載置支持されている。トッププレート５の裏面側に、標準バーナ１ａ、小バーナ１ｂ及び高火力バーナ１ｃ夫々の火力、並びに、グリルバーナ２の点消火状態を表示する天面表示部７０が、トッププレート５を通して視認可能なように設けられている。
【００５１】
前記天面表示部７０は、標準バーナ１ａ、小バーナ１ｂ及び高火力バーナ１ｃ夫々に対応する３個の天面火力表示部７１と、グリルバーナ２に対応するグリル燃焼表示部７３とから構成され、前記天面火力表示部７１は、複数のＬＥＤランプをレベルメータとして用い燃焼量（火力）の大きさに応じた数のＬＥＤランプを点灯させて表示する構成となっている。又、前記グリル燃焼表示部７３は１個のＬＥＤランプにて構成され、グリルバーナ２を点火させるとＬＥＤランプを点灯表示する構成となっている。
【００５２】
図１に示すように、ガスコンロ前側面には、標準バーナ１ａ、小バーナ１ｂ及び高火力バーナ１ｃとグリルバーナ２との点火及び消火や火力調節と各種の設定とを指令する手動操作部Ｓが設けられ、図２に示すように、マイクロコンピュータを備えて各種の制御を実行するように構成された運転制御部Ｈが手動操作部Ｓにて指令された運転状態に基づいて、標準バーナ１ａ、小バーナ１ｂ及び高火力バーナ１ｃとグリルバーナ２を制御するように構成されている。
【００５３】
図２に示すように、標準バーナ１ａ、小バーナ１ｂ及び高火力バーナ１ｃの夫々には、点火プラグ７及び着火状態を検出する熱電対８が設けられており、グリルバーナ２は上面バーナ２ａと左右一対の下面バーナ２ｂ、２ｃとを備えた両面バーナにて構成されて、上面バーナ２ａ及び左右一対の下面バーナ２ｂ、２ｃの夫々にも点火プラグ７及び着火状態を検出するための熱電対８等が備えられている。
【００５４】
又、標準バーナ１ａ及び高火力バーナ１ｃの夫々には、図２及び図３に示すように（但し、図３では標準バーナ１ａについて示す）、五徳６に被加熱物が載置されている載置状態であるか載置されていない非載置状態であるかを検出する載置状態検出手段としての載置状態検出部Ｄが設けられている。
この載置状態検出部Ｄは、五徳６に載置される被加熱物の底部が当接するのに伴って押し下げられて前記載置状態を検出するための載置状態検出位置とその載置状態検出位置よりも上方であって前記非載置状態を検出するための非載置状態検出位置とにわたって上下動自在で、且つ、前記非載置状態検出位置に復帰付勢される上下可動部９ｂを備えた伸縮機構９と、その上下可動部９ｂが前記載置状態検出位置に位置することにより前記載置状態（オフ状態）を検出し、且つ、上下可動部９ｂが前記非載置状態検出位置に位置することにより前記非載置状態（オン状態）を検出する検出部としての被加熱物検出スイッチ１０を備えて構成されている。
【００５５】
前記伸縮機構９は、図３に示すように、ケーシングに対して固定された案内支持部９ａに上下可動部９ｂをバネ（図示省略）にて上方に復帰付勢した状態で上下方向に移動自在に支持して構成されている。そして、五徳６上に被加熱物が載置されていないときは、上下可動部９ｂが、復帰付勢力により上端が五徳６における被加熱物を受け止める上端部よりも突出する状態の前記非載置状態検出位置に復帰する伸状態となり、被加熱物検出スイッチ１０がオン状態となる。又、五徳６上に被加熱物が載置されるに伴って、上下可動部９ｂが被加熱物の底部により押し下げられて前記載置状態検出位置に位置する縮状態となり、被加熱物検出スイッチ１０がオフ状態となる。
尚、前記小バーナ１ｂには、標準バーナ１ａ高火力バーナ１ｃ夫々と同様に前記伸縮機構９が設けられるが、被加熱物検出スイッチ１０は設けられていない。
【００５６】
図２に示すように、標準バーナ１ａ、小バーナ１ｂ及び高火力バーナ１ｃの夫々に対応する伸縮機構９の上下可動部９ｂの上端部内には、温度センサ１１が設けられ、五徳６上に載置された被加熱物の底部が上下可動部９ｂの上端に当接した状態で、この温度センサ１１により被加熱物の温度を検出するように構成されている。又、図示を省略するが、グリル部３には、グリル庫内の温度を検出する温度センサが設けられている。
【００５７】
前記標準バーナ１ａ、小バーナ１ｂ及び高火力バーナ１ｃとグリルバーナ２とへのガス供給構成について説明すると、図２に示すように、元ガス供給路１２には元ガス電磁弁１３が設けられ、この元ガス供給路１２から、標準バーナ用分岐路１４ａ、小バーナ用分岐路１４ｂ、高火力バーナ用分岐路１４ｃ、グリルバーナ用分岐路１４ｄの４系統に分岐しており、グリルバーナ２へのグリルバーナ用分岐路１４ｄは、さらに、上面バーナ用の分岐路と下面バーナ用分岐路とに分岐してそれらの分岐路には夫々、オリフィスｏｆ付きの流路１５と開閉式電磁弁１６を備えたバイパス路１７が設けられている。そして、標準バーナ用分岐路１４ａ、小バーナ用分岐路１４ｂ、高火力バーナ用分岐路１４ｃ、及び、グリルバーナ用分岐路１４ｄの夫々には、ガス量を調整して前記各バーナの燃焼量（火力）を調整する流量制御弁１８が備えられている。
【００５８】
ガスコンロ前側面には、標準バーナ１ａ、小バーナ１ｂ及び高火力バーナ１ｃの夫々に対応して、バーナ１ａ、１ｂ、１ｃの点火指令を指令する点火指令状態とバーナ１ａ、１ｂ、１ｃの消火指令を指令する消火指令状態とに切り換え自在な点消火指令部２８、バーナ１ａ、１ｂ、１ｃの燃焼量（火力）の調節を指令する人為操作式の燃焼量調節操作部２９、及び、調理の設定を指令する設定入力パネル５０が設けられ、並びに、グリルバーナ２に対して、点火及び消火や火力調整を指令するための設定入力パネル６０が設けられている。設定入力パネル５０及び設定入力パネル６０は開閉式になっており、設定入力パネル６０には、グリルバーナ２に対し点火及び消火を指令するための点消火スイッチ６１（図４参照）が備えられている。そして、前記設定入力パネル５０には図示はしないが、例えば、天ぷら油の温度等、被加熱物の温度が予め設定した設定温度になるようにバーナの燃焼量（火力）を自動調整するための自動調理モードを設定する自動調理用の設定スイッチが設けられている。
【００５９】
前記点消火指令部２８は、詳述はしないが、円筒状の回転操作部３１が押し込み位置と突出位置とにわたり各位置で保持自在に出退自在に設けられ、突出位置に切り換えると内部に備えられた点消火スイッチ３２（図２参照）がオンして点火を指令し、押し込み位置に切り換えると点消火スイッチ３２がオフして消火を指令する構成となっている。又、燃焼量調節操作部２９は、突出位置にある回転操作部３１を回転操作することでバーナの燃焼量の変更調整を行うように構成されている。ちなみに、標準バーナ１ａ及び高火力バーナ１ｃの夫々は、その燃焼量を５段階の設定燃焼量に調節できるように構成され、又、小バーナ１ｃは、その燃焼量を３段階の設定燃焼量に調節できるように構成されている。
【００６０】
そして、運転制御部Ｈは、点消火スイッチ３２、６１の点火指令に基づいて各バーナ１ａ、１ｂ、１ｃ、２のうちの対応するものを点火させ、点消火スイッチ３２、６１の消火指令に基づいて対応するバーナを消火させるように各バーナ１ａ、１ｂ、１ｃ、２の作動を制御し、燃焼量調節操作部２９の指令に基づいて燃料供給量を調整するように流量制御弁１８の作動を制御するよう構成されている。
【００６１】
又、図２に示すように、各種情報を音声にて報知する報知手段としてのスピーカ３７が備えられており、運転制御部Ｈは、各種情報をこのスピーカ３７により報知させるように構成されている。
【００６２】
従って、この実施形態では、標準バーナ１ａ及び高火力バーナ１ｃの夫々が加熱手段Ａに対応し、点消火スイッチ３２が加熱指令手段に対応しており、運転制御部Ｈを利用して、点消火スイッチ３２による加熱開始指令により加熱手段Ａの加熱作動を開始し且つ点消火スイッチ３２による加熱停止指令により加熱手段Ａの加熱作動を停止する燃焼制御、及び、載置状態検出部Ｄの検出情報に基づいて加熱手段Ａの加熱作動を制御する調理用加熱制御を実行する加熱制御手段１００が構成されている。
【００６３】
そして、加熱制御手段１００が、点消火スイッチ３２による加熱開始指令が指令されたときに載置状態検出部Ｄにより載置状態が検出される加熱開始時載置検出状態であるか否かを判別するように構成され、且つ、載置状態検出部Ｄにて載置状態が検出されている状態においては時間経過に伴って不規則的に現れる載置状態経過判別用の指標として、前記加熱開始時載置検出状態であることを判別した回数を積算しかつ前記加熱開始時載置検出状態であることを判別した回数の積算値Ｎｘが前記異常判別用基準値としての設定回数Ｎｓ以上になると異常対策処理を実行するように構成されている。そして、前記加熱開始時載置検出状態であることを判別した回数の積算値Ｎｘは記憶手段としての不揮発性メモリＭｅに書き込み記憶して電力供給が停止されてもその情報を保持できるようになっている。不揮発性メモリＭｅは、例えばＥＥＰＲＯＭ等を用いて構成される。
【００６４】
又、このコンロでは、点消火スイッチ３２の指令により電源入り条件が満たされると加熱制御手段１００に電力を供給し、且つ、点消火スイッチ３２の指令により電源切り条件が満たされると加熱制御手段１００への電力の供給を遮断する電源制御手段ＰＫが備えられている。
【００６５】
次に、電源制御手段ＰＫの具体的な構成について説明する。
図４に示すように、電源４０から運転制御部Ｈに電力を供給する電力供給状態と電力供給を遮断する遮断状態とに切換自在な断続切換回路４１が設けられ、この断続切換回路４１は、各コンロバーナに対する３個の点消火スイッチ３２及びグリルバーナ２に対する１個の点消火スイッチ６１の合計４個の点消火スイッチ３２、６１の少なくともいずれか１つがオン操作されると、電源入り条件が満たされたとして、遮断状態から電力供給状態に切り換わるように構成されている。
【００６６】
前記断続切換回路４１は、電源４０から運転制御部Ｈへの電源供給線を断続するスイッチングトランジスタ４２と、このスイッチングトランジスタ４２をオン状態とオフ状態とに切り換える駆動回路４３とを備えて構成され、運転制御部Ｈに電力が供給されずに動作していない状態であっても、いずれかの点消火スイッチ３２、６１がオンすなわち加熱開始指令を指令すると、スイッチングトランジスタ４２が導通状態に切り換わるように構成され、運転制御部Ｈに電力を供給する状態に切り換わる構成となっている。
【００６７】
そして、各点消火スイッチ３２、６１の操作情報は運転制御部Ｈにも入力されており、運転制御部Ｈは、４個の点消火スイッチ３２、６１の全てのものがオフするまでスイッチングトランジスタ４２を導通状態に維持すべく駆動回路４３に対して電源保持信号を出力するように構成されている。つまり、運転制御部Ｈは４個の点消火スイッチ３２、６１の全てのものがオフ、すなわち加熱停止指令を指令する状態になると、電源切り条件が満たされたとして電源保持信号の出力を停止するのである。
従って、運転制御部Ｈを利用して電源供給状態を管理する電源管理手段１０１が構成され、この電源管理手段１０１及び断続切換回路４１により電源制御手段ＰＫが構成されている。
【００６８】
そして、このコンロには電源切状態監視装置が備えられており、この電源切状態監視装置は、電源制御手段ＰＫが加熱制御手段１００に電力を供給する状態から電力の供給を遮断する状態に切り換えるときに載置状態検出部Ｄが載置状態を検出している場合には、載置状態用出力を出力する状態にセットされ、その後、電源制御手段ＰＫが加熱制御手段１００に電力を供給する状態に切り換わるまでの間において、載置状態検出部Ｄが載置状態を検出することを継続すると載置状態用出力を出力する状態を維持し、かつ、載置状態検出部Ｄが非載置状態を検出すると非載置状態用出力を出力する状態に切り換わる変化状態検出回路４５が設けられている。又、加熱制御手段１００は、電力の供給を遮断された状態から電力を供給される状態に切り換えられたときに、前記変化状態検出回路４５の出力を読み取り可能に構成されている。
【００６９】
説明を加えると、前記変化状態検出回路４５が、電荷を蓄積並びに放電自在なコンデンサ４６と、加熱制御手段１００に電力が供給され且つ被加熱物検出スイッチ１０が非導通状態である状態においてはコンデンサ４６に電荷を蓄積し、加熱制御手段１００に電力が供給される状態から電力の供給が遮断される状態に切り換わったのちにおいて、被加熱物検出スイッチ１０が非導通状態を維持していればコンデンサ４６に電荷を蓄積した状態を維持し、被加熱物検出スイッチ１０が非導通状態から導通状態に切り換わるとコンデンサ４６に蓄積した電荷を放電するように構成され、且つ、コンデンサ４６に電荷が蓄積されているときのコンデンサ４６の端子間電圧を前記載置状態用出力として出力し、電荷が放電された後のコンデンサ４６の端子間電圧を前記非載置状態用出力として出力する充放電回路ＪＨとを備えて構成されている。
【００７０】
次に、前記変化状態検出回路４５の具体的な構成について説明する。
図５に、標準バーナ１ａにおける載置状態検出部Ｄに対する変化状態検出回路４５を示しており、以下、この変化状態検出回路４５について説明する。尚、高火力バーナ１ｃにおける載置状態検出部Ｄについても同様な回路が備えられるが、ここでは記載は省略している。
【００７１】
載置状態検出部Ｄにおける被加熱物検出スイッチ１０の一方側の端子が接地部に接続され、被加熱物検出スイッチ１０の他方側の端子がコンデンサ４６の一方側の端子に接続されている。コンデンサ４６の他方側の端子は接地部に接続され、被加熱物検出スイッチ１０の他方側の端子とコンデンサ４６の一方側の端子とが接続される接続箇所は、電荷検出用スイッチ４７を介して運転制御部Ｈにおける検出用入力端子ｂに接続されている。前記電荷検出用スイッチ４７は、運転制御部Ｈの指令用出力端子ｃから動作指令が出力されることにより導通状態になるトランジスタ等のスイッチング素子を利用して構成される。
【００７２】
又、被加熱物検出スイッチ１０の他方側の端子とコンデンサ４６の一方側の端子とが接続される接続箇所と運転制御部Ｈの充電用出力端子ａとの間がダイオード４８を介して接続されており、運転制御部Ｈに電力が供給されている間は充電用出力端子ａが出力状態となりダイオード４８及び抵抗４９ａ，４９ｂを通してコンデンサ４６に対する充電が行われる構成となっている。更に、被加熱物検出スイッチ１０の他方側の端子とコンデンサ４６の一方側の端子とが接続される接続箇所と、ダイオード４８と抵抗４９ａとの接続箇所との間に、直列状態で接続された２つのインバータ回路５１，５２及びダイオード５３が直列状態で接続されている。尚、インバータ回路５１，５２には常に電源が供給されており、運転制御部Ｈへの電力供給が遮断されている間にも電力が供給されるようになっている。又、このインバータ回路５１，５２は電力消費が非常に少ないＣＭＯＳ型のＩＣを用いて構成されている。ちなみに、インバータ回路５１，５２は消費電流は例えば１μＡ以下である。尚、２つのインバータ回路に代えて１個のバッファー回路を用いてもよい。
前記ダイオード４８、抵抗４９ａ，４９ｂ、インバータ回路５１，５２、ダイオード５３等により充放電回路ＪＨが構成されている。
【００７３】
次に、前記変化状態検出回路４５の動作について説明する。
運転制御部Ｈに対して電力が供給され且つ五徳６に被加熱物が載置されている状態では、運転制御部Ｈの充電用出力端子が出力状態となりダイオード４８及び抵抗４９ａ，４９ｂを通してコンデンサ４６に対する充電が行われる。そして、運転制御部Ｈへの電力供給が停止されると、充電用出力端子ａが出力停止状態となるが、その出力停止状態であってもコンデンサ４６は充電された電荷を放電する回路が無いので充電状態を維持することになる。しかも、このとき第１のインバータ回路５１は入力がハイレベルになり出力がローレベルになり、第２のインバータ回路５２は入力がローレベルになり出力がハイレベルになる。そして、インバータ回路５２の出力電流によってコンデンサ４６が充電されるので、コンデンサ４６が自然放電により電荷が短時間で無くなることがなく充電状態が維持されることになる。
【００７４】
従って、加熱制御手段１００を構成する運転制御部Ｈに電力を供給する状態から電力の供給を遮断する状態に切り換えるときに載置状態検出部Ｄが載置状態を検出している場合には、コンデンサ４６はそのときまでに電荷が蓄積されており、載置状態用出力としてのコンデンサ４６に電荷が蓄積されているときのコンデンサ４６の端子間電圧を出力する状態にセットされることになる。
【００７５】
このように運転制御部Ｈへの電力供給が停止されている状態で五徳６に被加熱物が載置されている状態が継続すると、コンデンサ４６に電荷が蓄積されてコンデンサ４６の一方側の端子はハイレベル状態を維持することになる。
【００７６】
運転制御部Ｈへの電力供給が停止されている状態で、五徳６から被加熱物が持ち上げられて被加熱物検出スイッチ１０がオン状態に切り換わると、コンデンサ４６に蓄積されている電荷が被加熱物検出スイッチ１０を通して放電される。このように被加熱物検出スイッチ１０がオン状態になると、第１のインバータ回路５１の入力側がローレベルになりその出力がハイレベルになり、第２のインバータ回路５２の入力側がハイレベルになりその出力がローレベルになるから、インバータ回路５２によるコンデンサ４６の充電も停止される。その結果、コンデンサ４６の一方側の端子はローレベル状態を維持することになる。
【００７７】
そして、運転制御部Ｈは、電力供給が開始されたときに、指令用出力端子ｃから動作指令を指令し電荷検出用スイッチ４７を導通状態に切り換えることにより、検出用入力端子ｂにてコンデンサ４６の一方側の端子の電位すなわちコンデンサ４６の端子間の電圧を検出する。このとき、コンデンサ４６の一方側の端子の電位がハイレベルであれば被加熱物検出スイッチ１０がオフ状態（載置状態）を維持しており、コンデンサ４６の一方側の端子の電位がローレベルであれば、運転制御部Ｈへの電力供給が停止されている状態において被加熱物検出スイッチ１０がオン状態（非載置状態）に切り換わったことを判別することができる。
【００７８】
尚、運転制御部Ｈは、電力が供給されている間においては、設定単位時間毎にコンデンサ４６の一方側の端子のレベルを検出することにより、被加熱物検出スイッチ１０がオン状態（非載置状態）であるかオフ状態（載置状態）であるかを検出することになる。
【００７９】
次に、運転制御部Ｈの制御について説明する。
尚、本発明に係る制御は、前記標準バーナ１ａ及び前記高火力バーナ１ｃを対象にして実行することになるが、標準バーナ１ａ及び高火力バーナ１ｃ夫々を対象にした運転制御部Ｈの制御動作は同様であるので、以下の説明では、標準バーナ１ａを対象にした制御動作について説明し、高火力バーナ１ｃを対象にした制御動作の説明は省略する。
又、前記元ガス電磁弁１３は、標準バーナ１ａ、小バーナ１ｂ、高火力バーナ１ｃ及びグリルバーナ２のうちの少なくとも一つに対応する点消火スイッチ３２がＯＮ状態のときは開弁し、標準バーナ１ａ、小バーナ１ｂ、高火力バーナ１ｃ及びグリルバーナ２夫々に対応する点消火スイッチ３２の全てがＯＦＦ状態のときは、閉弁状態に維持するので、以下の説明では、この元ガス電磁弁１３の制御については説明を省略する。
【００８０】
以下、図６及び図７に示すフローチャートに基づいて運転制御部Ｈの制御動作を説明する。
運転制御部Ｈは、電源４０から電力が供給されると断続切換回路４１に電源入状態を保持するための電源保持信号を出力する（ステップ１）。そして、前記指令用出力端子ｃから動作指令を指令して電荷検出用スイッチ４７を導通状態に切り換えて、検出用入力端子ｂにてコンデンサ４６の一方側の端子の電位すなわちコンデンサ４６の端子間の電圧を検出することにより、運転制御部Ｈへの電力供給が停止されている状態において被加熱物検出スイッチ１０の変化状態を検出する（ステップ２）。すなわち、コンデンサ４６の一方側の端子の電位がハイレベルであれば、被加熱物検出スイッチ１０がそのときまでオフ状態（載置状態）を維持していると判別し、コンデンサ４６の一方側の端子の電位がローレベルであれば、被加熱物検出スイッチ１０がオン状態（非載置状態）を維持しているか、又は、運転制御部Ｈへの電力供給が停止されている状態において被加熱物検出スイッチ１０がオフ状態（載置状態）からオン状態（非載置状態）に切り換わったことを判別できる。
【００８１】
そして、コンデンサ４６の一方側の端子の電位がローレベルであり、被加熱物検出スイッチ１０がオン状態（非載置状態）を維持しているか、又は、運転制御部Ｈへの電力供給が停止されている状態において被加熱物検出スイッチ１０がオフ状態（載置状態）からオン状態（非載置状態）に切り換わったことを判別すると、後述するようなカウンタのカウント値Ｎｘを零にリセットし（ステップ３、４）、コンデンサ４６の一方側の端子の電位がハイレベルであり、被加熱物検出スイッチ１０がオフ状態（載置状態）を維持している、つまり、被加熱物有りを検出する状態を維持していると判別するとカウント値Ｎｘをリセットせずに次のステップに移行する。
【００８２】
次に、カウンタにて積算されたカウント値Ｎｘが設定回数Ｎｓ（例えば１０回）以上でなければ、そのときに載置状態検出部Ｄにて載置状態が検出されていると（この状態が加熱開始時載置検出状態に対応する）、カウンタのカウント値をカウントアップし（ステップ５、６、７）、載置状態検出部Ｄにて非載置状態が検出されていると、カウンタのカウント値Ｎｘを零にリセットする（ステップ８）。このカウンタのカウント値Ｎｘが前記加熱開始時載置検出状態であることを判別した回数の積算値に対応する。
【００８３】
ステップ５にて、カウンタにて積算されたカウント値Ｎｘが設定回数Ｎｓ以上であれば、スピーカ３７にて「故障が発生しました」等の音声による故障情報を報知し、且つ、標準バーナ１ａに対応する前面火力表示部３６及び天面火力表示部７１を同様に点滅させて異常が発生したことを報知する報知処理を実行し、さらに、この状態では点消火スイッチ３２の指令による操作は受け付けない状態となる（ステップ９、１０）。すなわち、このステップ９、１０の処理が異常対策処理に対応する。
【００８４】
次に、燃焼制御を実行する（ステップ１１）。この燃焼制御は、図７に示すように、標準バーナ１ａの点火指令があれば、流量制御弁１８を開弁させて点火プラグ７に駆動信号を与えて点火作動させることにより、標準バーナ１ａを点火させる点火処理を行う（ステップ７１、７２）。そして、自動調理モードが設定されていなければ、標準バーナ１ａの燃焼量が燃焼量調節操作部２９の指令に応じた燃焼量になるように流量制御弁１８の開度を調節し（ステップ７３−１、７３−２）、自動調理モードが設定されているときは、温度センサ１１にて検出される被加熱物の温度が予め設定されている設定温度になるように流量制御弁１８の開度を調節することにより標準バーナ１ａの燃焼量（火力）を自動調整する（ステップ７３−３）。そして、消火指令があれば消火処理を実行する（ステップ７４、７９）。
【００８５】
燃焼作動を実行中に載置状態検出部Ｄが被加熱物無しの状態（非載置状態）を検出すると、カウンタのカウント値Ｎｘを零にリセットして、標準バーナ１ａの燃焼量を前記５段階の火力のうちの最下段の火力よりも１段上の火力に対応する不存在時燃焼量に低下させるように流量制御弁１８の開度を調節し、標準バーナ１ａに対応する前面火力表示部３６及び天面火力表示部７１を同様に点滅させることにより、五徳６に被加熱物が載置されていない状態で標準バーナ１ａが燃焼しているという異常状態であることを報知する（ステップ７５、７５−１、７６、７７）。
【００８６】
又、前記載置状態検出部Ｄが被加熱物無しの状態（非載置状態）を検出してからの経過時間が不存在判別時間に達するまでは、標準バーナ１ａの燃焼量を前記不存在時燃焼量に低下させている状態を継続し（ステップ７８）、その間において、載置状態検出部Ｄが被加熱物有りの状態を検出すると元の火力に戻して燃焼状態を継続し（ステップ７５、７３−１〜７４）、前記不存在判別時間が経過しても載置状態検出部Ｄが被加熱物無しの状態（非載置状態）を検出している場合は消火処理を実行する（ステップ７９）。このような載置状態検出部Ｄの検出結果により火力を調整する処理が調理用加熱制御に対応する。
【００８７】
そして、全ての点消火スイッチ３２、６１がオフすると、断続切換回路４１に出力している電源入状態を保持するための電源保持信号の出力を停止して、断続切換回路４１を遮断状態に切り換えて電源オフ状態にする（ステップ１２、１３）。
【００８８】
このような構成によれば、被加熱物検出スイッチ１０がオン状態を検出している状態で、全ての点消火スイッチ３２、６１がオフして電源切り条件が満たされて運転制御部Ｈが電源オフ状態になった後に、載置状態検出部Ｄにおける被加熱物検出スイッチ１０が一度でもオン状態からオフ状態に切り換わると、上記したようにコンデンサ４６の一方側の端子の電位がハイレベルからローレベルに変化するので、その後消火スイッチ３２のオン操作により運転制御部Ｈに電力が供給されたときに被加熱物検出スイッチ１０がどのような状態になっていても、ステップ４の処理によりカウンタの積算値Ｎｘが零にリセットされることになる。
【００８９】
〔第２実施形態〕
次に、本発明の第２実施形態を説明する。
この第２実施形態では、前記変化状態検出回路の構成が異なる他は、第１実施形態の構成と同じであるから、異なる構成についてのみ説明し、同じ構成については説明は省略する。
【００９０】
この第２実施形態では、前記変化状態検出回路４５が、前記非導通状態である場合と前記導通状態である場合とで入力部に入力される入力電圧が互いに異なる形態で前記被加熱物検出スイッチ１０が前記入力部に接続され、且つ、前記入力部に前記非導通状態に対応する入力電圧が入力されているときは前記載置状態用出力としての第１出力電圧を出力し、前記入力部に入力される電圧が前記非導通状態に対応する入力電圧から前記導通状態に対応する入力電圧に切り換わると、前記第１出力電圧とは異なる前記非載置状態用出力としての第２出力電圧を出力する状態に切り換えてリセット処理が行われるまでその第２出力電圧を保持する出力保持回路ＳＨを備えて構成されている。
【００９１】
次に、前記変化状態検出回路４５の具体的な構成について説明する。
図８に示すように、２つのＮＡＮＤ回路５４ａ，５４ｂが備えられ、第１ＮＡＮＤ回路５４ａの出力端子と第２ＮＡＮＤ回路５４ｂの一方の入力端子（以下、入力端子Ｂという）とが接続され、第２ＮＡＮＤ回路５４ｂは、２つの入力端子が抵抗５５を介して接続され且つその２つの入力端子のうち第１ＮＡＮＤ回路５４ａの出力端子が接続される側とは反対側の入力端子（以下、入力端子Ａという）と接地部との間には被加熱物検出スイッチ１０が接続されている。従って、この入力端子Ａが前記入力部を構成する。
【００９２】
又、第１ＮＡＮＤ回路５４ａの一方の入力端子（以下、入力端子Ｃという）と第２ＮＡＮＤ回路５４ｂの出力端子とが接続され、第１ＮＡＮＤ回路５４ａの他の入力端子（以下、入力端子Ｄという）と、運転制御部Ｈの切換信号出力端子ｂの信号に応じてトランジスタ５６を切り換えてハイレベル信号あるいはローレベル信号を出力する出力切換回路５７の出力部とが接続されている。そして、第２ＮＡＮＤ回路５４ｂの出力端子（入力端子Ｃ）と運転制御部Ｈの検出用入力端子ａとが接続されている。
【００９３】
そして、前記変化状態検出回路４５には、運転制御部Ｈへの電力供給線とは別に設けられた電力線を通して電源４０から常に電力が供給される構成となっており、運転制御部Ｈに電力が供給されていない状態であっても、載置状態検出部Ｄの状態の変化を検出してその状態を保持することができるようになっている。又、各ＮＡＮＤ回路５４ａ，５４ｂはＣＭＯＳ型のＩＣを使用しており、消費電流は例えば１μＡ〜数μＡ程度であり非常に少ないものである。
【００９４】
次に、前記変化状態検出回路４５の動作について説明する。
断続切換回路４１が電力供給状態に切り換わり運転制御部Ｈに電力が供給されて、運転制御部Ｈが切換信号出力端子ｂからハイレベルの切換信号を出力している状態では、出力切換回路５７の出力部すなわち入力端子Ｄがローレベルになる。そのとき第１ＮＡＮＤ回路５４ａの出力端子言い換えると入力端子Ｂはハイレベルになる。その状態で被加熱物検出スイッチ１０がオン状態であれば入力端子Ａがローレベルになるので、第２ＮＡＮＤ回路５４ｂの出力はハイレベルになる。一方、被加熱物検出スイッチ１０がオフ状態であれば入力端子Ａがハイレベルになるので、第２ＮＡＮＤ回路５４ｂの出力はローレベルになる。
【００９５】
つまり、運転制御部Ｈに電力が供給されて、運転制御部Ｈが切換信号出力端子ｂからハイレベルの切換信号を出力している状態では、被加熱物検出スイッチ１０の検出状態の違いに応じて第２ＮＡＮＤ回路５４ｂの出力が変化することになり、運転制御部Ｈの検出用入力端子ａの状態により載置状態検出部Ｄの検出状態が載置状態であるか非載置状態であるかを判別することができる。
【００９６】
被加熱物検出スイッチ１０がオフ状態（載置状態）を検出している状態で運転制御部Ｈへの電力供給が遮断されると、そのとき、入力端子Ａ及び入力端子Ｂは共にハイレベルであり第２ＮＡＮＤ回路５４ｂの出力はローレベルになっており、運転制御部Ｈへの電力供給が遮断されて切換信号出力端子ｂから切換信号の出力が停止して入力端子Ｄがハイレベルに変化しても、入力端子Ａ及び入力端子Ｂは共にハイレベルを維持するから、第２ＮＡＮＤ回路５４ｂの出力はローレベルを維持することになる。
【００９７】
そして、運転制御部Ｈへの電力供給が遮断されている状態で、被加熱物検出スイッチ１０がオフ状態（載置状態）からオン状態（非載置状態）に切り換わると、入力端子Ａがローレベルに切り換わり、第２ＮＡＮＤ回路５４ｂの出力すなわち入力端子Ｃがハイレベルに切り換わるので、入力端子Ｃと入力端子Ｄが共にハイレベルになり、第１ＮＡＮＤ回路５４ａの出力すなわち入力端子Ｂがローレベルになる。このように一旦、入力端子Ｂがローレベルになると、その後は、運転制御部Ｈに電力が供給されて切換信号出力端子ｂからハイレベルの切換信号を出力されてリセット処理が行われるまで、被加熱物検出スイッチ１０の状態変化にかかわらず第２ＮＡＮＤ回路５４ｂの出力すなわち入力端子Ｃはハイレベルを維持することになる。
【００９８】
すなわち、運転制御部Ｈへの電力供給が遮断された後に、被加熱物検出スイッチ１０がオフ状態を継続していると第２ＮＡＮＤ回路５４ｂの出力はローレベルを維持することになり、運転制御部Ｈへの電力供給が遮断された後に被加熱物検出スイッチ１０が一度でもオフ状態からオン状態に切り換わると第２ＮＡＮＤ回路５４ｂの出力はハイレベルに切り換わり、その後は、切換信号がハイレベルになってリセット処理が行われるまで第２ＮＡＮＤ回路５４ｂの出力はハイレベルに維持されることになる。
従って、第１ＮＡＮＤ回路５４ａ、第２ＮＡＮＤ５４ｂ、抵抗５５等により出力保持回路ＳＨが構成されている。
【００９９】
次に、図１０を参照しながら運転制御部Ｈの制御動作について説明する。
運転制御部Ｈは、電力供給が開始されると、切換信号出力端子ｂから出力する切換信号をローレベルに維持したまま（ステップ２−１）、第２ＮＡＮＤ回路５４ｂの出力を検出用入力端子ａから読み込み、そのときの検出結果により、運転制御部Ｈへの電力供給が遮断された後に、被加熱物検出スイッチ１０がオフ状態を継続しているか、あるいは、オン状態からオン状態に切り換わり被加熱物検出スイッチ１０の検出状態が変化しているかを判別する（ステップ２−２）。そして、被加熱物検出スイッチ１０が検出状態が変化していると判別するとカウンタのカウント値Ｎｘを零にリセットし（ステップ３−１、４）、被加熱物検出スイッチ１０の検出状態が変化していなければリセットすることなく、切換信号出力端子ｂから出力する切換信号をハイレベルに切り換えて出力保持回路ＳＨをリセット処理する（ステップ３−２）。従って、その後は、被加熱物検出スイッチ１０の検出状態の違いに応じて第２ＮＡＮＤ回路５４ｂの出力が変化することになり、運転制御部Ｈの検出用入力端子ａの状態により載置状態検出部Ｄの検出状態が載置状態であるか非載置状態であるかを判別することができる状態となる。尚、ステップ５以降の処理は第１実施形態と同じである。
【０１００】
図９は、各入力端子の状態変化を示すタイムチャートである。
No.１〜５は被加熱物検出スイッチ１０が常にオン状態（非載置状態）を維持している場合、No.７〜１２は電源切り状態で被加熱物検出スイッチ１０がオン状態（非載置状態）からオフ状態（載置状態）に切り換わった場合、No.１４〜１８は被加熱物検出スイッチ１０が常にオフ状態（載置状態）を維持している場合、No.２０〜２５は電源切り状態で被加熱物検出スイッチ１０がオフ状態（載置状態）からオン状態（非載置状態）に切り換わった場合、No.２７〜３３は電源切り状態において被加熱物検出スイッチ１０がオン状態（非載置状態）から一旦オフ状態（載置状態）に切り換わり再度オン状態（非載置状態）に切り換わった場合、No.３５〜４１は電源切り状態において被加熱物検出スイッチ１０がオフ状態（載置状態）から一旦オン状態（非載置状態）に切り換わり再度オフ状態（載置状態）に切り換わった場合を示している。尚、図９中、「１」は入力端子がハイレベルであることを表し、「０」はローレベルであることを表している。
【０１０１】
図９のうち、No.２０〜２５、及び、No.３５〜４１に示すタイムチャートが、載置状態検出部Ｄが載置状態を検出している状態で加熱制御手段１００に電力が供給される状態から電力の供給が遮断される状態に切り換わったのちにおいて、載置状態検出部Ｄが載置状態を検出する状態から非載置状態を検出する状態に切り換わった場合を示している。この図から判るように、切換信号出力端子ｂから出力する切換信号をローレベルに維持したままであれば、第２ＮＡＮＤ回路５４ｂの出力はハイレベルを維持している。
【０１０２】
従って、被加熱物検出スイッチ１０がオフ状態を検出している状態で、全ての点消火スイッチ３２、６１がオフして電源切り条件が満たされて運転制御部Ｈが電源オフ状態になった後に、載置状態検出部Ｄにおける被加熱物検出スイッチ１０が一度でもオフ状態からオン状態に切り換わると、第２ＮＡＮＤ回路５４ｂの出力はハイレベルを維持しているので、その後点消火スイッチ３２、６１のオン操作により運転制御部Ｈに電力が供給されたときに被加熱物検出スイッチ１０がどのような状態であっても、ステップ４の処理によりカウンタの積算値Ｎｘが零にリセットされることになる。
【０１０３】
〔第３実施形態〕
次に、本発明の第３実施形態を説明する。
この第３実施形態では、前記加熱制御手段の構成が異なる他は、第１実施形態の構成と同じであるから、異なる構成についてのみ説明し、同じ構成については説明は省略する。
【０１０４】
この第３実施形態では、前記加熱制御手段が、前記載置状態検出手段にて前記載置状態が検出されている状態において時間経過に伴って規則的に現れる載置状態経過判別用の指標として、前記載置状態検出手段により前記載置状態が検出されている時間を積算し、且つ、その時間の積算値が異常判別用の基準値としての異常判別用設定時間に達すると前記異常対策処理を実行するように構成されている。
【０１０５】
以下、前記運転制御部Ｈの制御動作を説明すると、図１１に示すように、電源４０から電力が供給されると断続切換回路４１に電源入状態を保持するための電源保持信号を出力し（ステップ２１）、運転制御部Ｈへの電力供給が停止されている状態における被加熱物検出スイッチ１０の変化状態を検出し、被加熱物検出スイッチ１０の検出状態が変化していると判別すると、タイマーにて積算される載置状態検出部Ｄにて載置状態が検出される時間の積算値Ｔｋを零にリセットする（ステップ２２、２３、２４）。そして、載置状態検出部Ｄにて載置状態が検出されていれば、載置状態検出部Ｄにて載置状態が検出される時間をタイマーにより積算し（ステップ２５、２６）、載置状態検出部Ｄにて非載置状態が検出されていれば、時間の積算値Ｔｋを零にリセットする（ステップ２７）。
【０１０６】
タイマーにて積算される載置状態検出部Ｄにて載置状態が検出される時間の積算値Ｔｋが異常判別用設定時間Ｔｓに達すると、第１実施形態と同様な異常対策処理を実行する（ステップ２８、３２、３３）。又、積算値Ｔｋが異常判別用設定時間Ｔｓに達していない場合には、第１実施形態のときと同様な燃焼制御を実行し（ステップ２９）、全ての点消火スイッチ３２、６１がオフすると電源オフ状態に切り換える（ステップ３０、３１）。
【０１０７】
〔別実施形態〕
以下、別実施形態を列記する。
【０１０８】
（１）前記変化状態検出回路として、載置状態検出手段の載置状態から非載置状態への変化をコンデンサにおける蓄積電荷の違いにより加熱制御手段にて検出できるようにする構成や自己保持回路の出力の変化により加熱制御手段にて検出できるようにする構成に限らず、加熱制御手段に電力が供給されていない状態で載置状態検出手段が載置状態から非載置状態へ変化することにより出力が変化し且つその後載置状態検出手段の検出状態が変化したとしてもその状態を保持できる構成であればよく、上記構成に限定されるものではなく種々の構成を利用することができる。
【０１０９】
（２）上記実施形態では、前記加熱制御手段が、時間経過に伴って規則的に又は不規則的に現れる載置状態経過判別用の指標として、前記加熱開始時載置検出状態であることを判別した回数や、前記載置状態が検出されている時間を積算するようにしたが、このような構成に代えて、前記載置状態が検出されている状態における前記バーナの燃焼量等を積算するようにしてもよい。
【０１１０】
（３）上記実施形態では、前記加熱制御手段が、電力の供給を遮断された状態から電力を供給される状態に切り換えられたときに前記変化状態検出回路の出力を読み取り、前記載置状態検出手段が非載置状態を検出した場合に、所定の処理として、載置状態経過判別用の指標の積算値をリセットするようにしたが、このような構成に限らず、次のように構成するものでもよい。
例えば、前記加熱制御手段が、調理用加熱制御として、加熱してから予め設定した加熱パターンで加熱したのちに自動で加熱を停止させる自動炊飯処理を行うような構成とし、この自動炊飯処理が終了して加熱制御手段への電力供給が停止されたのちに、その後、自動炊飯処理の実行が再度指令されたときに、前記変化状態検出回路にて、前記非載置状態用出力を出力しているときは、炊飯処理が終了した被加熱物が適正に五徳から外されているので報知はしないが、前記載置状態用出力を出力しているときは、炊飯が終了した被加熱物が載置している状態で再度、加熱処理が行われるおそれがあるので、所定の処理として、炊飯処理が終了していることを報知する報知処理を実行する構成にしてもよい。又、このような処理に代えて、前記変化状態検出回路の出力に応じて種々の処理を行うことが可能である。
【０１１１】
（４）上記実施形態では、前記異常対策処理として、異常であることを報知する報知処理と点消火スイッチの指令による操作を受け付けない状態にする処理を行うようにしたが、例えば、被加熱物を持ち上げる操作を促す報知処理を行い、その後設定時間経過しても非載置状態が検出されなければ点消火スイッチの指令による操作を受け付けない状態にする等の処理でもよい。
【０１１２】
（５）上記実施形態では、前記載置状態検出部として、上下可動部と被加熱物検出スイッチとを備える構成としたが、例えば、前記上下可動部の両横側方に振り分けて配置した磁石とリードスイッチとで構成するものでもよく、反射型あるいは透過型の光センサ等にて構成することも可能である。
【図面の簡単な説明】
【０１１３】
【図１】コンロの斜視図
【図２】コンロの制御構成を示すブロック図
【図３】コンロのバーナ付近の縦断面図
【図４】運転制御部Ｈへの電力供給構成を示す図
【図５】載置状態検出部の回路構成を示す図
【図６】制御動作のフローチャートを示す図
【図７】制御動作のフローチャートを示す図
【図８】載置状態検出部の回路構成を示す図
【図９】動作状態を示すタイミングチャート
【図１０】制御動作のフローチャートを示す図
【図１１】制御動作のフローチャートを示す図
【符号の説明】
【０１１４】
６        載置部
１０      被加熱物検出スイッチ
３２      加熱指令手段
４０      電源
４５      変化状態検出回路
４６      コンデンサ
１００    加熱制御手段
Ａ        加熱手段
Ｄ        載置状態検出手段
ＪＨ      充放電回路
ＰＫ      電源制御手段
ＳＨ      出力保持回路
【図１】
0005080956.tif 000002
【図２】
0005080956.tif 000003
【図３】
0005080956.tif 000004
【図４】
0005080956.tif 000005
【図５】
0005080956.tif 000006
【図６】
0005080956.tif 000007
【図７】
0005080956.tif 000008
【図８】
0005080956.tif 000009
【図９】
0005080956.tif 000010
【図１０】
0005080956.tif 000011
【図１１】
0005080956.tif 000012